(57)【要約】【課題】より低濁度の海水を確実に取水することが可能な海水取水装置および方法を提供する。【解決手段】海水取水装置は、海域に連通する取水水路３と、取水水路３に隣接して配置される取水槽４と、取水水路３と取水槽４との境界に配置され、満潮時に海水が越流するゲート５と、を備えており、ゲート５は、開閉可能な下可動部５１を下部に有している。干潮から満潮に向かう中間時点や満潮時には、ゲート５の頂部よりも上層の低濁度の海水が取水槽４に導入される。一方、例えば干潮時には、下可動部５１が開放されて取水槽４内に溜まった沈殿性粒子１０が排出される。また、ゲート５が高さ可変の上可動部５４を上部に有することにより、干潮から満潮に向かう中間時点において、ゲート５の高さを満潮時よりも低い状態に設定することができる。【選択図】図４
2013249658.tif 000002
【特許請求の範囲】
【請求項１】
海域に連通する第１の取水部と、
前記第１の取水部に隣接して配置される第２の取水部と、
前記第１の取水部と前記第２の取水部との境界に配置され、満潮時に海水が越流すると共に、開閉可能な下可動部を下部に有するゲートと、
を備えることを特徴とする海水取水装置。
【請求項２】
前記ゲートは、高さ可変の上可動部を上部に有することを特徴とする請求項１に記載の海水取水装置。
【請求項３】
前記第２の取水部内の海水が導入される貯留槽をさらに備えることを特徴とする請求項１または請求項２に記載の海水取水装置。
【請求項４】
前記貯留槽は、前記第２の取水部からの海水を受ける受槽と、前記受槽から溢れた海水を貯留する本槽と、を有し、
前記受槽から前記第２の取水部まで延伸する排出管と、排出管に設けられる開閉弁と、をさらに備えることを特徴とする請求項３に記載の海水取水装置。
【請求項５】
海域に連通する第１の取水部と、
前記第１の取水部に隣接して配置される第２の取水部と、
前記第１の取水部と前記第２の取水部との境界に配置され、満潮時に海水が越流すると共に、高さ可変の上可動部を上部に有するゲートと、
を備えることを特徴とする海水取水装置。
【請求項６】
海域に連通する第１の取水部からの海水を、前記第１の取水部に隣接して配置される第２の取水部に、前記第１の取水部と前記第２の取水部との境界に配置されるゲートの上を越流させて流入させるステップと、
前記ゲートの下部に備えられる開閉可能な下可動部を開放し、前記第２の取水部内の海水を、開放された前記下可動部を通して前記第１の取水部側へ流出させるステップと、
を備えることを特徴とする海水取水方法。
【請求項７】
干潮から満潮に向かう中間時点において、海域に連通する第１の取水部からの海水を、前記第１の取水部に隣接して配置される第２の取水部に、前記第１の取水部と前記第２の取水部との境界に配置されるゲートの上部に備えられる高さ可変の上可動部の高さを満潮時よりも低く設定して前記上可動部の上を越流させて流入させるステップ（ａ）と、
満潮時に、前記第１の取水部からの海水を前記第２の取水部に、前記上可動部の高さを前記中間時点よりも高く設定して前記上可動部の上を越流させて流入させるステップ（ｂ）と、を備えることを特徴とする海水取水方法。
【請求項８】
前記ステップ（ａ）において、上可動部の高さは、変化する海水位に応じて、段階的あるいは連続的に前記海水位よりも所定距離だけ低くなるように設定されることを特徴とする請求項７に記載の海水取水方法。
【発明の詳細な説明】
【技術分野】
【０００１】
本発明は、海水取水装置および方法に関する。
【背景技術】
【０００２】
海水淡水化プラントや発電所等の各種設備には、淡水化対象の海水や機器冷却用の海水を取水することを目的として、海水取水装置が付設されている。
【０００３】
この種の海水取水装置として、取水ポンプに海水を導くための取水路内に、干潮時水位より高い標高の頂部をもった堰を設置した取水構造が知られている（例えば、特許文献１参照）。これによれば、海水位の低下時にも、設備の稼動を継続させるために必要な海水量を堰の設置により確保できるようになっている。
【先行技術文献】
【特許文献】
【０００４】
【特許文献１】特開平５−１９０９２号公報
【発明の概要】
【発明が解決しようとする課題】
【０００５】
しかしながら、一定の海域においては、取水対象の海水は、砂やシルト等の沈殿性粒子に起因する濁度が非常に高く、取水された海水は、各種設備で使用される前に、前処理プロセスにて濁度を低減する処理（除濁処理）が施される必要がある。したがって、海水の取水時に、できるだけ低濁度の海水を取水することが前処理プロセスの負担を軽減する観点から要請される。
【０００６】
特に、前記一定の海域のなかには、取水対象の海水は低層部が高濁度で表層部が低濁度となる顕著な濁度分布を有すると共に、干満差が大きく水位の変動が例えば８ｍと非常に大きいものもある。このため、前記特許文献１に記載の取水構造では、高水位時に中層部の比較的高濁度の海水が、堰を越流して取水部である取水路プールに流入してしまい、ポンプにより取水される虞がある。
【０００７】
また、取水部の底に沈殿性粒子が沈殿、堆積し、取水部の水深が小さくなってしまう。このため、取水部内に確保できる海水量が減少するだけでなく、取水部内における濁度の高い海水が表層部に近くなって取水される虞が高くなる。さらに、取水部内に沈殿、堆積した沈殿性粒子を除去するための浚渫作業の負担も増大する。
【０００８】
本発明は前記事情に鑑みてなされたものであり、本発明の目的は、より低濁度の海水を確実に取水することが可能な海水取水装置および方法を提供することにある。
【課題を解決するための手段】
【０００９】
前記した目的を達成するために、本発明の一側面を反映する海水取水装置は、海域に連通する第１の取水部と、前記第１の取水部に隣接して配置される第２の取水部と、前記第１の取水部と前記第２の取水部との境界に配置され、満潮時に海水が越流すると共に、開閉可能な下可動部を下部に有するゲートと、を備えることを特徴とする。
【００１０】
また、本発明の他の側面を反映する海水取水装置は、海域に連通する第１の取水部と、前記第１の取水部に隣接して配置される第２の取水部と、前記第１の取水部と前記第２の取水部との境界に配置され、満潮時に海水が越流すると共に、高さ可変の上可動部を上部に有するゲートと、を備えることを特徴とする。
【００１１】
また、本発明のさらに他の側面を反映する海水取水方法は、海域に連通する第１の取水部からの海水を、前記第１の取水部に隣接して配置される第２の取水部に、前記第１の取水部と前記第２の取水部との境界に配置されるゲートの上を越流させて流入させるステップと、前記ゲートの下部に備えられる開閉可能な下可動部を開放し、前記第２の取水部内の海水を、開放された前記下可動部を通して前記第１の取水部側へ流出させるステップと、を備えることを特徴とする。
【００１２】
また、本発明のさらに他の側面を反映する海水取水方法は、干潮から満潮に向かう中間時点において、海域に連通する第１の取水部からの海水を、前記第１の取水部に隣接して配置される第２の取水部に、前記第１の取水部と前記第２の取水部との境界に配置されるゲートの上部に備えられる高さ可変の上可動部の高さを満潮時よりも低く設定して前記上可動部の上を越流させて流入させるステップ（ａ）と、満潮時に、前記第１の取水部からの海水を前記第２の取水部に、前記上可動部の高さを前記中間時点よりも高く設定して前記上可動部の上を越流させて流入させるステップ（ｂ）と、を備えることを特徴とする。
【発明の効果】
【００１３】
本発明によれば、より低濁度の海水を確実に取水することが可能な海水取水装置および方法を提供することができる。
【図面の簡単な説明】
【００１４】
【図１】本発明の第１実施形態に係る海水取水装置の概略平面図である。
【図２】図１のII−II線に沿う概略断面図である。
【図３】干潮から満潮に向かう中間時点における取水槽周辺の概略拡大断面図である。
【図４】満潮時における取水槽周辺の概略拡大断面図である。
【図５】干潮時における取水槽周辺の概略拡大断面図である。
【図６】本発明の第２実施形態に係る干潮から満潮に向かう中間時点における取水槽周辺の概略拡大断面図である。
【図７】満潮時における図６に示す取水槽周辺の概略拡大断面図である。
【図８】干潮時点における図６に示す取水槽周辺の概略拡大断面図である。
【図９】（ａ）は、本発明の第３実施形態に係る満潮時における取水槽周辺の概略拡大断面図であり、（ｂ）は、干潮から満潮に向かう中間時点における図９（ａ）に示す取水槽周辺の概略拡大断面図である。
【図１０】本発明の第４実施形態に係る海水取水装置の概略平面図である。
【図１１】本発明の第５実施形態に係る海水取水装置の概略平面図である。
【図１２】本発明の第６実施形態に係る海水取水装置の概略平面図である。
【発明を実施するための形態】
【００１５】
次に、本発明の実施形態について適宜図面を参照しながら詳細に説明する。なお、各図において、共通する部分には同一の符号を付し、重複した説明を適宜省略する。
【００１６】
≪第１実施形態≫
まず、図１〜図５を参照しながら本発明の第１実施形態について説明する。
図１は、本発明の第１実施形態に係る海水取水装置の概略平面図である。図２は、図１のII−II線に沿う概略断面図である。図１に示す海水取水装置は、ここでは、海水淡水化プラント（図示せず）に付設され、淡水化対象の海水を取水するものである。
【００１７】
図１および図２に示すように、海水取水装置１は、海域２に連通する取水水路（第１の取水部）３と、取水水路３に隣接して配置される取水槽（第２の取水部）４と、取水水路３と取水槽４との境界に配置され、満潮時に海水が越流するゲート５と、を備えている。取水水路３は、所定深さに掘られた断面コ字状のカナルであり、陸地９から海域２に向かって延伸している。なお、図２中の符号Ｂは満潮時の水位を示し、符号Ｃは干潮時の水位を示している。
【００１８】
また、海水取水装置１は、取水槽４内の海水が導入される貯留槽６を備えている。貯留槽６は、取水槽４からの海水を受ける原水受槽（受槽）６１と、原水受槽６１から溢れた海水を貯留する原水槽（本槽）６２と、を有している。取水槽４内の海水は、ポンプ７１の作動により、配管７２を通って貯留槽６の原水受槽６１に送られるようになっている。
【００１９】
さらに、海水取水装置１は、原水受槽６１から取水槽４まで延伸する排出管８１と、排出管８１に設けられる開閉弁８２と、を備えている。原水受槽６１の底には、排出管８１の方に向かって徐々に低くなるように傾斜した傾斜面６３ａ，６３ｂ，６３ｃが形成されている。
【００２０】
図３は、干潮から満潮に向かう中間時点における取水槽周辺の概略拡大断面図である。図４は、満潮時における取水槽周辺の概略拡大断面図である。図５は、干潮時における取水槽周辺の概略拡大断面図である。なお、図３〜図５において、符号１０は砂やシルト等の沈殿性粒子を示し、矢印は海水の流れ方向を示す（図６〜図９でも同様）。また、図３中の符号Ａは干潮から満潮に向かう或る中間時点における水位を示している。
【００２１】
図３〜図５に示すように、ゲート５は、開閉可能な下可動部５１を下部に有している。下可動部５１は、回動軸５２と、回動軸５２のまわりで手動や電動等により回動される板状の下ゲート部材５３とを備えて構成されている。なお、下可動部５１が閉止状態にあるときに取水水路３と取水槽４との間がシールされるように、例えば下ゲート部材５３の周縁部にシール部材（図示せず）が設置されることが望ましい。
【００２２】
また、ゲート５は、高さ可変の上可動部５４を上部に有している。上可動部５４は、回動軸５５と、回動軸５５のまわりで手動や電動等により回動される板状の上ゲート部材５６とを備えて構成されている。ゲート５は、上可動部５４の頂部が最も高い位置にあるときの高さが、水位が最大となる大潮の満潮時において所定の水深以上の上澄水のみを取水できるような高さに設定されている（図４参照）。
【００２３】
取水槽４は、ここでは、取水水路３の陸地９（図１参照）側の端部に、ゲート５により区画されて形成されている。取水槽４の底には、下可動部５１の下端に向かって徐々に低くなるように傾斜した傾斜面４１が形成されている。ポンプ７１は、海水の吸入口（図示せず）を備えており、取水槽４内のなるべく上層の濁度の低い海水を吸入できるように、傾斜面４１上の比較的高い場所に設置されている。なお、ポンプ７１の吸入口の高さ方向の位置が取水槽４内の海水の水位に応じて変化するように構成してもよい。また、配管７２の入口を取水槽４内に設置して、ポンプ７１は配管７２の途中に設置されてもよい。
【００２４】
次に、図３〜図５を参照しながら前記のように構成された第１実施形態の作用について説明する。
図３に示すように、干潮から満潮に向かう中間時点においては、上可動部５４の頂部の高さ、すなわちゲート５の高さが満潮時よりも低く設定される。上可動部５４の高さは、上ゲート部材５６が鉛直上方に起立した状態から傾斜した状態となるように回動軸５５のまわりで回動されることにより変更される。上ゲート部材５６は、図３では上ゲート部材５６の頂部が取水水路３側に倒れるように傾斜されているが、上ゲート部材５６の頂部が取水槽４側に倒れるように傾斜されてもよい。
【００２５】
そして、上ゲート部材５６が傾斜した状態で、海域２（図１参照）に連通する取水水路３からの海水が、取水水路３に隣接して配置される取水槽４に、取水水路３と取水槽４との境界に配置されるゲート５の上可動部５４の上を越流して流入する。したがって、干潮から満潮に向かう中間時点の水位Ａにおいて、満潮時よりも低い状態に設定されたゲート５の頂部よりも上層の表層付近のより低濁度の海水のみが取水槽４に導入される。
【００２６】
また、干潮から満潮に向かう中間時点において、取水槽４内の海水は、ポンプ７１の作動により貯留槽６に送られ、一旦、原水受槽６１で受けられる。原水受槽６１内の海水が一杯になると、原水受槽６１内の海水のうちの表層部のより低濁度の海水が、原水受槽６１から溢れて原水槽６２に導入されて貯留される。取水槽４内の海水が貯留槽６に送られている間、開閉弁８２は閉じられている。
【００２７】
図４に示すように、満潮時には、取水水路３からの海水が取水槽４に、ゲート５の上を越流して流入する。前記したように満潮時に海水がゲート５を越流するようにゲート５の高さが設定されており、満潮時の水位Ｂは、ゲート５の高さ（上可動部５４の上ゲート部材５６の頂部の高さ）よりも高くなる。
【００２８】
この満潮時には、上可動部５４の高さが、干潮から満潮に向かう中間時点よりも高く設定される。例えば、満潮時には、上ゲート部材５６が鉛直上方に起立した状態、すなわちゲート５の高さが最も高い状態に設定される。したがって、満潮時において、最も高い状態に設定されたゲート５の頂部よりも上層の表層付近の海水のみが取水槽４に流入するため、より低濁度の海水が取水槽４に導入される。
【００２９】
また、満潮時においても、取水槽４内の海水は、ポンプ７１の作動により、原水受槽６１を経て貯留槽６に送られる。取水槽４内の海水が貯留槽６に送られている間、開閉弁８２は閉じられている。
【００３０】
なお、上可動部５４を設けることなくゲート５の高さを一定にした場合には、以下の問題が生じる。すなわち、ゲート５の頂部高さを高くして固定すれば、満潮時において表層付近の低濁度の海水が取水槽４内に流入するが、干潮から満潮に向かう中間時点においては水位Ａがゲート５の高さよりも低くなって取水槽４に流入しない場合が増え、取水槽４内に海水を十分確保できない。一方、ゲート５の高さを低くして固定すれば、干潮から満潮に向かう中間時点においても取水槽４内に海水を十分確保できるが、満潮時においては中層部の比較的高濁度の海水までが取水槽４内に導入されてしまう。特に濁度が高く、干満の差が大きい海域では、この問題が顕著に現れる。
【００３１】
これに対し、第１実施形態によれば、より低濁度の海水を、干潮から満潮に向かう中間時点、および満潮時のいずれにおいても十分に取水槽４内に導入することができる。ここで、上可動部５４の高さは、干潮から満潮に向かう間の少なくとも一つの時点において、満潮時よりも低く設定される。ただし、上可動部５４の高さは、干潮から満潮に向かう間で変化する海水位に応じて、段階的あるいは連続的に前記海水位よりも所定距離（例えば２ｍ）だけ低くなるように設定されることがより望ましい。このように構成すれば、より一層低濁度の海水を確実に取水槽４内に導入することができる。
【００３２】
ここでは、満潮から干潮に向かう中間時点（引き潮時）においては、干潮から満潮に向かう中間時点（満ち潮時）と同様に、ゲート５の上可動部５４の高さが満潮時よりも低く設定される。ただし、上可動部５４の高さは、満潮から干潮に向かう間で変化する海水位に応じて、段階的あるいは連続的に前記海水位よりも所定距離（例えば２ｍ）だけ低くなるように設定されることがより望ましい。なお、引き潮時において、ゲート５の上可動部５４の高さを満潮時と同じ高さに維持して取水槽４に溜めた海水が流れ出ないようにし、取水槽４内の海水がポンプ７１により汲み出されて例えば所定量以下になった場合には、適宜ゲート５の上可動部５４を低く設定して海水を取水槽４内に流入させるように構成してもよい。
【００３３】
図５に示すように、例えば干潮時には、ゲート５の下部に備えられる開閉可能な下可動部５１が開放される。すなわち、下可動部５１は、下ゲート部材５３が鉛直下方に垂下した状態から傾斜した状態となるように回動軸５２のまわりで回動されることにより開放状態とされる。下可動部５１の開放時には、ポンプ７１は停止される。
【００３４】
そして、取水槽４内の海水は、開放された下可動部５１を通して取水水路３側へ流出する。これにより、取水槽４内に溜まった泥状の沈殿性粒子１０は、取水槽４内の海水に押し流されるようにして、海水と共に取水水路３側へ排出される。このとき、取水槽４内の海水は、取水槽４の底に形成された傾斜面４１に沿って勢い良く取水水路３側へ流出するため、沈殿性粒子１０は効率良く取水槽４から排出される。
【００３５】
ここで、取水槽４内の海水が沈殿性粒子１０の排出のために流出して空になったとしても、貯留槽６の原水槽６２には、海水淡水化プラントの稼動に支障を与えることのない十分な量の海水が貯留されている。そして、原水槽６２内の海水は、海水淡水化プラントに供給されるようになっている。
【００３６】
また、下可動部５１の開放時には、開閉弁８２も開放される。これにより、原水受槽６１内に溜まった泥状の沈殿性粒子１０もまた、取水槽４内を経由して、海水と共に取水水路３側へ排出される。このとき、原水受槽６１内の海水は、原水受槽６１の底に形成された傾斜面６３ａ，６３ｂ，６３ｃ（図１参照）に沿って勢い良く排出管８１へ流出するため、沈殿性粒子１０は効率良く原水受槽６１から排出される。
【００３７】
前記したように第１実施形態に係る海水取水装置１は、海域２に連通する取水水路３と、取水水路３に隣接して配置される取水槽４と、取水水路３と取水槽４との境界に配置され、満潮時に海水が越流するゲート５と、を備えており、ゲート５は、開閉可能な下可動部５１を下部に有している。
【００３８】
このような第１実施形態によれば、干潮から満潮に向かう中間時点や満潮時には、海域２に連通する取水水路３からの海水が、取水水路３に隣接して配置される取水槽４に、取水水路３と取水槽４との境界に配置されるゲート５の上を越流して流入するので、ゲート５の頂部よりも上層の低濁度の海水が取水槽４に導入される。一方、例えば干潮時には、ゲート５の下可動部５１を開放状態とすることにより、海水と共に取水槽４内に溜まった泥状の沈殿性粒子１０を取水水路３側へ排出することができる。これにより、沈殿性粒子１０の沈殿、堆積による取水槽４の水深の縮小によって取水槽４内に確保できる海水量が減少すると共に濁度の高い海水が表層部に近くなる結果取水されてしまう虞を抑制することができる。
【００３９】
すなわち、海水取水装置１において、より低濁度の海水を確実に取水することが可能となる。また、取水槽４内に沈殿、堆積した沈殿性粒子１０を除去するための浚渫作業の負担も軽減することができる。さらには、海水淡水化プラントの前処理プロセスにおける除濁処理の負担を軽減することができる。
【００４０】
また、第１実施形態では、ゲート５は、高さ可変の上可動部５４を上部に有している。このような構成によれば、干潮から満潮に向かう中間時点には、ゲート５の高さを満潮時よりも低く設定することにより、満潮時よりも低い状態のゲート５の頂部よりも上層の表層付近のより低濁度の海水のみを取水槽４に導入することができる。一方、満潮時には、ゲート５の高さを干潮から満潮に向かう中間時点よりも高い例えば最も高い状態に設定することにより、より高い状態に設定されたゲート５の頂部よりも上層の表層付近のより低濁度の海水のみを取水槽４に導入することができる。このようにして、より低濁度の海水を、干潮から満潮に向かう中間時点、および満潮時のいずれにおいても十分に取水槽４内に導入することができる。
【００４１】
したがって、海水取水装置１において、より一層低濁度の海水を確実に取水することが可能となる。また、取水槽４内に導入される海水がより低濁度となるため、取水槽４内に沈殿、堆積する沈殿性粒子１０が少なくなる結果、沈殿性粒子１０を除去するための浚渫作業の負担もより軽減される。さらには、海水淡水化プラントの前処理プロセスにおける除濁処理の負担がより軽減される。
【００４２】
≪第２実施形態≫
次に、図６〜図８を参照しながら本発明の第２実施形態について説明する。
図６は、本発明の第２実施形態に係る干潮から満潮に向かう中間時点における取水槽周辺の概略拡大断面図である。図７は、満潮時における図６に示す取水槽周辺の概略拡大断面図である。図８は、干潮時点における図６に示す取水槽周辺の概略拡大断面図である。図１〜図５に示した第１実施形態と同様の構成及び作用は、第２実施形態に取り込まれるものとして詳細な説明を適宜省略する。
【００４３】
図６〜図８に示すように、第２実施形態では、ゲート５ａは、開閉可能な下可動部５１を下部に有している点で第１実施形態と同様であるが、高さ可変の上可動部５４を上部に有していない点で第１実施形態と相違している。本発明は、この第２実施形態のような構成を採用することも可能である。
【００４４】
このような第２実施形態によれば、干潮から満潮に向かう中間時点（図６参照）や満潮時（図７参照）には、ゲート５ａの頂部よりも上層の低濁度の海水が取水槽４に導入される。一方、例えば干潮時（図８参照）には、ゲート５ａの下可動部５１を開放状態とすることにより、海水と共に取水槽４内に溜まった泥状の沈殿性粒子１０を排出することができ、沈殿性粒子１０が溜まって取水槽４が浅くなることによって取水槽４内に確保できる海水量が減少すると共に濁度の高い海水が表層部に近くなる結果取水されてしまう虞を抑制することができる。すなわち、より低濁度の海水を確実に取水することが可能となる。また、取水槽４内に沈殿、堆積した沈殿性粒子１０を除去するための浚渫作業の負担も軽減することができる。さらには、海水淡水化プラントの前処理プロセスにおける除濁処理の負担を軽減することができる。
【００４５】
≪第３実施形態≫
次に、図９を参照しながら本発明の第３実施形態について説明する。
図９（ａ）は、本発明の第３実施形態に係る干潮から満潮に向かう中間時点における取水槽周辺の概略拡大断面図であり、図９（ｂ）は、満潮時における図９（ａ）に示す取水槽周辺の概略拡大断面図である。なお、図１〜図５に示した第１実施形態と同様の構成及び作用は、第３実施形態に取り込まれるものとして詳細な説明を適宜省略する。
【００４６】
図９（ａ）（ｂ）に示すように、第３実施形態では、ゲート５ｂは、高さ可変の上可動部５４を上部に有している点で第１実施形態と同様であるが、開閉可能な下可動部５１を下部に有していない点で第１実施形態と相違している。本発明は、この第３実施形態のような構成を採用することも可能である。
【００４７】
このような第３実施形態によれば、干潮から満潮に向かう中間時点（図９（ａ）参照）には、満潮時よりも低い状態に設定したゲート５ｂの頂部よりも上層の表層付近のより低濁度の海水のみを取水槽４に導入できる。一方、満潮時（図９（ｂ）参照）には、干潮から満潮に向かう中間時点よりも高い例えば最も高い状態に設定したゲート５の頂部よりも上層の表層付近のより低濁度の海水のみを取水槽４に導入できる。こうして、より低濁度の海水を、干潮から満潮に向かう中間時点、および満潮時のいずれにおいても十分に取水槽４内に導入することができる。すなわち、より低濁度の海水を確実に取水することが可能となる。また、取水槽４内に導入される海水がより低濁度となるため、取水槽４内に沈殿、堆積する沈殿性粒子１０が少なくなる結果、沈殿性粒子１０を除去するための浚渫作業の負担も軽減することができる。さらには、海水淡水化プラントの前処理プロセスにおける除濁処理の負担を軽減することができる。
【００４８】
≪第４実施形態≫
次に、図１０を参照しながら本発明の第４実施形態について説明する。
図１０は、本発明の第４実施形態に係る海水取水装置の概略平面図である。なお、図１〜図５に示した第１実施形態と同様の構成及び作用は、第４実施形態に取り込まれるものとして詳細な説明を適宜省略する。
【００４９】
図１０に示すように、第４実施形態では、取水水路３の陸地９側の端部に、取水水路３とは少なくとも幅寸法（取水水路３の長手方向に垂直な方向の寸法）が大きい取水槽４ａが設けられている点で、第１実施形態と相違している。このような第４実施形態によれば、前記した第１実施形態と同様の作用効果を奏することができることに加えて、取水槽４ａに、より多くの海水を導入して確保することができる。
【００５０】
≪第５実施形態≫
次に、図１１を参照しながら本発明の第５実施形態について説明する。
図１１は、本発明の第５実施形態に係る海水取水装置の概略平面図である。なお、図１〜図５に示した第１実施形態と同様の構成及び作用は、第５実施形態に取り込まれるものとして詳細な説明を適宜省略する。
【００５１】
図１１に示すように、第５実施形態では、取水槽４ｂと貯留槽６とが、堰６４を介して隣接して設けられている点で第１実施形態と相違している。また、第１実施形態におけるポンプ７１、配管７２、排出管８１、および開閉弁８２が、第５実施形態では省略されている。したがって、第５実施形態では、取水槽４ｂ内の海水の水位が所定高さに設定された堰６４よりも高くなると、堰６４の頂部よりも上層の濁度の低い海水が、取水槽４から溢れ出し、堰６４を越流して貯留槽６の原水受槽６１に送られる。このような第５実施形態によっても、前記した第１実施形態と同様の作用効果を奏することができる。
【００５２】
≪第６実施形態≫
次に、図１２を参照しながら本発明の第６実施形態について説明する。
図１２は、本発明の第６実施形態に係る海水取水装置の概略平面図である。なお、図１〜図５に示した第１実施形態と同様の構成及び作用は、第６実施形態に取り込まれるものとして詳細な説明を適宜省略する。
【００５３】
図１２に示すように、第６実施形態では、貯留槽６が省略されると共に、取水水路３の陸地９側の端部に、海水淡水化プラントの稼動に支障を与えることのない十分な量の海水を確保できる容量を持った取水槽４ｃが設けられている点で、第１実施形態と相違している。なお、この第６実施形態では、取水槽４ｃ内の海水は、沈殿性粒子１０の排出のために全部流出させるのではなく、一部を残すようにして海水淡水化プラントの稼動に必要な最小限の海水を確保することが望ましい。このような第６実施形態によっても、前記した第１実施形態と同様の作用効果を奏することができる。
【００５４】
以上、本発明について実施形態に基づいて説明したが、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００５５】
例えば、前記した実施形態では、下可動部５１は、回動軸５２と、回動軸５２のまわりで手動や電動等により回動される板状の下ゲート部材５３とを備えて構成されているが、これに限定されるものではない。例えば、下ゲート部材５３が上下にスライド移動することにより、下可動部５１が開閉可能に構成されてもよい。同様に、上ゲート部材５６が上下にスライド移動することにより、上可動部５４が高さ可変に構成されてもよい。
【００５６】
また、前記した実施形態では、干潮時にゲート５ａの下可動部５１を開放して、海水と共に取水槽４内に溜まった泥状の沈殿性粒子１０を排出するようにしたが、本発明はこれに限定されるものではない。例えば干潮時の前後等の干潮時以外の適当な時点で、下可動部５１を開放して沈殿性粒子１０を排出するようにしてもよい。
【００５７】
また、前記した実施形態では、海水取水装置１は、海水淡水化プラントに付設されているが、本発明はこれに限定されるものではなく、例えば発電所等、海水を利用する各種設備に付設され得る。
【符号の説明】
【００５８】
１      海水取水装置
２      海域
３      取水水路（第１の取水部）
４，４ａ，４ｂ，４ｃ  取水槽（第２の取水部）
５，５ａ，５ｂ  ゲート
１０    沈殿性粒子
５１    下可動部
５４    上可動部
６      貯留槽
６１    原水受槽（受槽）
６２    原水槽（本槽）
【図１】
2013249658.tif 000003
【図２】
2013249658.tif 000004
【図３】
2013249658.tif 000005
【図４】
2013249658.tif 000006
【図５】
2013249658.tif 000007
【図６】
2013249658.tif 000008
【図７】
2013249658.tif 000009
【図８】
2013249658.tif 000010
【図９】
2013249658.tif 000011
【図１０】
2013249658.tif 000012
【図１１】
2013249658.tif 000013
【図１２】
2013249658.tif 000014